(57)【要約】【課題】利用者が避難情報を認識することができる表示灯を提供する。【解決手段】表示灯は、取り付けられた機器の位置を示す表示灯であって、火災信号又は火災信号に基づく指示を受信する本体と、本体に収納され、発光する発光部と、火災信号又は火災信号に基づく指示を受信したときに、避難情報を表示するように発光部を制御する制御部と、を備えることを特徴とする。【選択図】図６
2018005990.tif 000002
【特許請求の範囲】
【請求項１】
取り付けられた機器の位置を示す表示灯であって、
火災信号又は火災信号に基づく指示を受信する本体と、
前記本体に収納され、発光する発光部と、
前記火災信号又は前記火災信号に基づく指示を受信したときに、避難情報を表示するように前記発光部を制御する制御部と、
を備えることを特徴とする表示灯。
【請求項２】
前記避難情報は、避難方向を示す矢印である
ことを特徴とする請求項１記載の表示灯。
【請求項３】
前記制御部は、
前記火災信号に含まれる火災情報に基づいて、避難方向を示す矢印の向きを決定し、決定した矢印の向きを表示するように前記発光部を制御する
ことを特徴とする請求項２記載の表示灯。
【請求項４】
前記発光部は、
前記火災信号を受信した非常時に前記避難情報を表示する第１の発光部と、
前記第１の発光部の周囲に配置され、通常時に発光する第２の発光部と、を有する
ことを特徴とする請求項１〜３のいずれか１項に記載の表示灯。
【請求項５】
前記制御部は、
非常時に、前記第１の発光部と前記第２の発光部とを交互に点滅させる
ことを特徴とする請求項４記載の表示灯。
【発明の詳細な説明】
【技術分野】
【０００１】
本発明は、消火栓装置等の位置を示す表示灯に関する。
【背景技術】
【０００２】
従来、トンネル等に設置された消火栓装置等の位置を示す表示灯が知られている。例えば、通常時に点灯している表示灯は、トンネル内で火災が発生した場合に点滅する。これにより、トンネル内を自動車等で走行中の運転手は、火災が発生したことを認識する。しかし、表示灯が点滅しただけでは、火災の発生の有無を認識し難い。特許文献１には、発信機と、発信機の設置場所を示す火災表示灯とを備える消火栓装置が開示されている。特許文献１の消火栓装置は、トンネル内の走行方向において５０ｍ毎に設置されており、トンネル内で火災が発生した場合、水噴霧ヘッドから放水される前に、放水区画に対応した区画に対して発煙装置が作動し放水予告の告知が行われる。これにより、特許文献１は、火災の発生の有無を認識し易くしようとするものである。
【先行技術文献】
【特許文献】
【０００３】
【特許文献１】特開２０１６−７６２４５号公報（段落［０００５］、［００１６］、［００１７］）
【発明の概要】
【発明が解決しようとする課題】
【０００４】
しかしながら、特許文献１に開示された消火栓装置は、発煙装置が作動することによって火災の発生の有無が告知されるに過ぎず、利用者が具体的な避難情報を認識することができない。
【０００５】
本発明は、上記のような課題を背景としてなされたもので、利用者が避難情報を認識することができる表示灯を提供するものである。
【課題を解決するための手段】
【０００６】
本発明に係る表示灯は、取り付けられた機器の位置を示す表示灯であって、火災信号又は火災信号に基づく指示を受信する本体と、本体に収納され、発光する発光部と、火災信号又は火災信号に基づく指示を受信したときに、避難情報を表示するように発光部を制御する制御部と、を備えることを特徴とする。
【発明の効果】
【０００７】
本発明によれば、火災信号を受信した非常時に、発光部が避難情報を表示するため、利用者は、表示灯を見るだけで、避難情報を認識することができる。
【図面の簡単な説明】
【０００８】
【図１】本発明の実施の形態１におけるトンネル３に設置された消火栓装置２を示す模式図である。
【図２】本発明の実施の形態１における消火栓装置２を示す斜視図である。
【図３】本発明の実施の形態１に係る表示灯１を示す側面断面図である。
【図４】本発明の実施の形態１に係る表示灯１を示す正面図である。
【図５】本発明の実施の形態１における発光部１４を示す側面断面図である。
【図６】本発明の実施の形態１における発光部１４を示す正面図である。
【図７】比較例とした従来の表示灯１００を示す側面断面図である。
【図８】本発明の実施の形態１の変形例における発光部１４を示す側面断面図である。
【発明を実施するための形態】
【０００９】
実施の形態１．
以下、本発明に係る表示灯の実施の形態について、図面を参照しながら説明する。なお、以下に説明する実施の形態によって本発明が限定されるものではない。また、図１を含め、以下の図面では各構成部材の大きさの関係が実際のものとは異なる場合がある。図１は、本発明の実施の形態１におけるトンネル３に設置された消火栓装置２を示す模式図である。この図１に基づいて、消火栓装置２について説明する。図１に示すように、車両等が走行するトンネル３内には、走行方向において所定の間隔例えば５０ｍ毎に消火栓装置２が設置されている。
【００１０】
また、トンネル３には、複数の非常口４が設けられており、火災が発生したとき等の非常時に、トンネル３内にいる人は、非常口４を通って避難することができる。トンネル３内には、誘導表示板５が例えば２００ｍ毎に複数設けられており、誘導表示板５は、例えば誘導表示板５が設置された位置から、非常口４までの方向及び距離を示すものである。例えば、図１の誘導表示板５は、右方向に設けられた非常口４までの距離が６５０ｍ、左方向に設けられた非常口４までの距離が１５０ｍである場合について例示している。
【００１１】
図２は、本発明の実施の形態１における消火栓装置２を示す斜視図である。次に、消火栓装置２について説明する。図２に示すように、消火栓装置２は、トンネル３の側壁に形成された設置用開口部３ａに収容され、筐体６と、消火栓扉７と、消火器扉８と、取付部９とを有している。筐体６は、例えば直方体状をなしており、内部に消火栓及び消火器等が収納されるものである。消火栓扉７は、消火栓弁、保形ホース及びノズル等が収納される筐体６の消火栓収納部の前面を覆うものである。
【００１２】
消火器扉８は、消火器が収納される筐体６の消火器収納部の前面を覆うものである。取付部９は、消火栓扉７と消火器扉８との間に配置されて板状をなしており、給電線及び信号線等が接続された電気機器部をカバーし、表面に発信機１０及び表示灯１が取り付けられたものである。発信機１０は、例えば火災を発見した人によって押下されると、管理室等に設置された防災盤に火災信号を発信するものである。
【００１３】
図３は、本発明の実施の形態１に係る表示灯１を示す側面断面図、図４は、本発明の実施の形態１に係る表示灯１を示す正面図である。次に、表示灯１について説明する。図３及び図４に示すように、表示灯１は、本体１１と、コネクタ１２と、リード線１３と、発光部１４と、プリズム１５と、Ｏリング１６と、カバー１７と、後述する発光部１４の基板１４ｂに実装された制御部（図示せず）とを備えている。表示灯１は、制御部で火災信号又は火災信号に基づく指示を受信するものであり、消火栓装置２の取付部９に螺子１１ｂ等によって取り付けられるものである。本体１１は、発光部１４が収納される中空部１１ａが形成された有底円筒状の部材であり、例えば赤色のＡＢＳ樹脂からなる。
【００１４】
コネクタ１２は、袋ナット１２ａとコネクタ本体１２ｂとからなり、本体１１の中空部１１ａに収納された発光部１４に接続されたリード線１３を本体１１に締め付けて固定するものである。コネクタ本体１２ｂは、本体１１に接続されており、袋ナット１２ａは、リード線１３が挿入された状態でコネクタ本体１２ｂに螺合される。コネクタ１２は、例えばナイロン樹脂からなる。リード線１３は、発光部１４に接続され、発光部１４に電源を供給するものである。
【００１５】
図５は、本発明の実施の形態１における発光部１４を示す側面断面図、図６は、本発明の実施の形態１における発光部１４を示す正面図である。次に、発光部１４について説明する。図３に示すように、発光部１４は、本体１１の中空部１１ａに収納され、発光するものであり、例えば円状をなしている。図５に示すように、発光部１４は、複数の光源１４ａと基板１４ｂとを有している。光源１４ａは、例えば赤色ＬＥＤである。基板１４ｂは、複数の光源１４ａが実装されたものであり、リード線１３を介して供給される電源によって、光源１４ａを点灯させるものである。また、基板１４ｂには、制御部であるマイコンが実装されている。
【００１６】
ここで、図６に示すように、発光部１４は、第１の発光部２１と第２の発光部２２とを有している。第１の発光部２１は、非常時に避難情報を点灯表示するものであり、第２の発光部２２は、第１の発光部２１の周囲に配置され、通常時に点灯して、消火栓装置２の位置を示すものである。なお、非常時とは、例えば表示灯１が火災信号を受信したときのことであり、通常時とは、表示灯１が火災信号を受信していないときのことである。また、本実施の形態１では、第１の発光部２１の光源１４ａも、第２の発光部２２の光源１４ａも、いずれも赤色ＬＥＤとしているが、第１の発光部２１の光源１４ａを、赤色ＬＥＤではなく白色ＬＥＤ等としてもよい。
【００１７】
プリズム１５は、図５に示すように、発光部１４の前面に配置されたものである。プリズム１５は、例えば赤色のメタクリル樹脂からなる。プリズム１５は、第１の発光部２１の前面に配置される平面部１５ａと、平面部１５ａの周囲で且つ第２の発光部２２の前面に配置される突起部１５ｂとを有している。平面部１５ａは、第１の発光部２１から照射される光を拡散させる機能を有しておらず、そのまま通過させる。突起部１５ｂは、第２の発光部２２から照射される光を拡散させる機能を有する。これにより、第２の発光部２２から照射された光は、光源１４ａのひとつひとつが見えず全体が円形に光っているように見える。
【００１８】
Ｏリング１６は、環状の部材であり、図３に示すように、本体１１とカバー１７との接続部分に介在し、カバー１７と本体１１とを密閉固定するものである。Ｏリング１６は、例えばクロロプレンゴムからなる。なお、第１の発光部２１の光源１４ａが赤色ＬＥＤではない他の色の場合、プリズム１５の平面部１５ａの色も、第１の発光部２１の光源１４ａの色に整合させてもよい。また、第１の発光部２１の光源１４ａの色とプリズム１５の平面部１５ａの色とを別色としてもよい。例えば、第１の発光部２１の光源１４ａが白色ＬＥＤである場合、プリズム１５の平面部１５ａを赤色としてもよい。
【００１９】
カバー１７は、図３に示すように、本体１１の前面に取り付けられ、本体１１の中空部１１ａを覆って、発光部１４等を保護するものである。カバー１７は、例えば赤色のメタクリル樹脂からなる。カバー１７は、中央に配置される平坦部１７ａと、平坦部１７ａの周囲に配置され平坦部１７ａの端部から本体１１に向けて傾斜する斜面部１７ｂとを有している。平坦部１７ａは、第１の発光部２１から照射されてプリズム１５の平面部１５ａを通過した光が通過するものである。プリズム１５の平面部１５ａは、第１の発光部２１から照射された光を拡散させないため、平坦部１７ａから出射された光は、指向性を有したままの状態である。このため、平坦部１７ａから出射される光を見る人は、光源１４ａひとつひとつが見える状態である。
【００２０】
斜面部１７ｂは、第２の発光部２２から照射されてプリズム１５の突起部１５ｂで拡散された光が通過するものである。プリズム１５の突起部１５ｂは、第２の発光部２２から照射された光を拡散させるため、斜面部１７ｂから出射された光は、拡散性を有する状態である。このため、斜面部１７ｂから出射された光を見る人は、光源１４ａひとつひとつが見えず全体が光っているように見える。なお、第１の発光部２１の光源１４ａが赤色ＬＥＤではない他の色の場合、カバー１７の平坦部１７ａの色も、第１の発光部２１の光源１４ａの色に整合させてもよい。
なお、突起部１５ｂで拡散された光の一部は、平坦部１７ａからも出射される。これによりカバー１７全体が光っているように見える。また、斜面部１７ｂがより明るく光っているため、表示灯１を側面から見た場合でも高い視認性を示す。
また、第２の発光部２２の光源１４ａの数を、後述する比較例の光源１１４ａの数と同じにすれば、通常時に第１の発光部２１が消灯し、第２の発光部２２が点灯している場合、通常時において比較例と同等の消費電力で表示灯１を動作させることができる。
【００２１】
制御部は、光源１４ａが実装される基板１４ｂに実装され、火災信号を受信した非常時に、避難情報を表示するように発光部１４を制御するものである。ここで、図６に示すように、避難情報とは、例えば避難方向を示す矢印３０である。避難方向とは、例えばトンネル３内に設置された非常口４又はトンネル３の坑口等である。制御部は、第１の発光部２１の光源１４ａのうち、矢印３０を構成する光源１４ａのみ点灯させ、矢印３０を構成しない光源１４ａを点灯させない。また、このとき第２の発光部２２の光源１４ａは点灯させない。ここで、プリズム１５の平面部１５ａは、光を通過させるものであるため、第１の発光部２１から照射された光が拡散されず、矢印３０等の避難情報がぼやけて見えることを防止することができる。
なお、制御部は、基板１４ｂと別の基板に実装され、本体１１の中空部１１ａ等に設置されてもよい。
【００２２】
本実施の形態１によれば、火災信号を受信した非常時に、発光部１４が避難情報を表示するため、トンネル３内にいる人は、表示灯１を見るだけで、避難情報を認識することができる。また、本実施の形態１では、避難情報が、避難方向を示す矢印３０である。このため、トンネル３内にいる人は、最適な避難場所のある方向を直ちに認識することができる。
【００２３】
図７は、比較例とした従来の表示灯１００を示す側面断面図である。ここで、従来の表示灯１００を本実施の形態１の表示灯１の比較例として説明する。図７に示すように、比較例の発光部１１４の光源１１４ａは、基板１１４ｂの中央部にのみ配置され、プリズム１１５は、光源１１４ａの前面に配置されて、光源１１４ａから照射された光を拡散させる。これにより、光源１１４ａから出射された光の全てが拡散されてカバー１７から出射され、カバー１７全体が光る。比較例では、例えば通常時に表示灯１００が点灯し、非常時に表示灯１００が点滅する。これに対し、本実施の形態１では、非常時に避難情報が表示される。このため、トンネル３内にいる人は、誘導表示板５が近くにない場所でも、より設置間隔の狭い消火栓装置２に設けられた表示灯１を見ることで、避難情報を認識することができる。
【００２４】
ここで、表示灯１に表示する矢印３０の方向について、火災信号に含まれる火災情報に基づいて、トンネル管理者が矢印３０の方向を決定し、表示灯１の制御部に指示するようにしてもよい。この場合、制御部は指示された矢印３０を表示するように発光部１４を制御する。また、トンネル管理者に代わり、トンネル防災盤などのトンネルを集中監視する制御盤が火災信号に含まれる火災情報に基づいて、矢印３０の方向を決定し、表示灯１の制御部に指示するようにしてもよい。また、表示灯１の制御部が、火災信号に含まれる火災情報に基づいて、避難方向を示す矢印３０の向きを決定し、決定した矢印３０の向きを表示するように発光部１４を制御してもよい。火災情報とは、例えば火災検知器又は消火栓装置２等が作動した位置等である。制御部は、火災検知器又は消火栓装置２等が作動した位置を火災発生位置と推定し、火災発生位置から離れる方向を矢印３０の向きとして決定してもよい。また、制御部は、その表示灯１が設置された位置から最も近い非常口４又はトンネル３の坑口を常に矢印３０の向きとして決定してもよい。
【００２５】
なお、制御部は、非常時に、第１の発光部２１と第２の発光部２２とを交互に点滅させてもよい。これにより、非常時にトンネル３内にいる人の注意を惹き、避難を促すことができる。また、制御部は、非常時に第２の発光部２２を消灯して、避難情報である矢印３０を構成する第１の発光部２１を点滅させてもよいし、第１の発光部２１及び第２の発光部２２を同時に点滅させてもよい。
【００２６】
図８は、本発明の実施の形態１の変形例における発光部１４を示す側面断面図である。図８に示すように、変形例では、第２の発光部２２の光源１４ａにおいて、隣接する光源１４ａ同士が互いに異なる方向に傾斜している。これにより、隣接する光源１４ａの照射方向が異なるため、第２の発光部２２の光をより拡散させることができる。従って、カバー１７の斜面部１７ｂが光る際の視認性を更に高めることができる。
なお、本実施の形態１では、トンネル３内に設置された消火栓装置２に設ける表示灯１について例示しているが、これに限らず、建物又は屋外等に設置される消火栓や火災報知設備の機器収容箱（総合盤）等に設ける表示灯として用いてもよい。
【符号の説明】
【００２７】
１  表示灯、２  消火栓装置、３  トンネル、３ａ  設置用開口部、４  非常口、５  誘導表示板、６  筐体、７  消火栓扉、８  消火器扉、９  取付部、１０  発信機、１１  本体、１１ａ  中空部、１１ｂ  螺子、１２  コネクタ、１２ａ  袋ナット、１２ｂ  コネクタ本体、１３  リード線、１４  発光部、１４ａ  光源、１４ｂ  基板、１５  プリズム、１５ａ  平面部、１５ｂ  突起部、１６  Ｏリング、１７  カバー、１７ａ  平坦部、１７ｂ  斜面部、２１  第１の発光部、２２  第２の発光部、３０  矢印、１００  表示灯、１１４  発光部、１１４ａ  光源、１１４ｂ  基板、１１５  プリズム。
【図１】
2018005990.tif 000003
【図２】
2018005990.tif 000004
【図３】
2018005990.tif 000005
【図４】
2018005990.tif 000006
【図５】
2018005990.tif 000007
【図６】
2018005990.tif 000008
【図７】
2018005990.tif 000009
【図８】
2018005990.tif 000010